【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】  スマート・アンテナ・システムを有する第１通信デバイスからリモート通信デバイスへダウンリンク・データを送信するダウンリンク・チャネルを利用するステップと、
ダウンリンク・データに応答するリモート通信デバイスからのアップリンク応答信号を第１通信デバイスが受信する関連チャネルであって、ダウンリンク・チャネルに関連し、これとの事前に決められた関係を有する関連チャネルを利用するステップと、
リモート通信デバイスからのアップリンク・データを第１通信デバイスが受信するアップリンク・データ・チャネルであって、関連チャネルとは別個のアップリンク・データ・チャネルを利用するステップと、
第１通信デバイスでアップリンク応答信号を受信し、
受信されたアップリンク応答信号を使用してダウンリンク・スマート・アンテナ処理戦略を決定するステップと、
決定されたダウンリンク・スマート・アンテナ処理戦略を使用して第１通信デバイスからリモート通信デバイスにダウンリンク・データを送信するステップと、
アップリンク・データ・チャネルでリモート通信デバイスからのアップリンク・データを受信するステップと、
から構成されることを特徴とするワイヤレス通信システムにおける方法。
【請求項２】  前記第１通信デバイスは基地局を含み、前記リモート通信デバイスは前記基地局に関連し、アップリンクおよびダウンリンクで前記基地局と通信することができるユーザ端末を含み、前記スマート・アンテナ・システムは複数のアンテナ要素を含み、前記ダウンリンク・チャネルはダウンリンク・トラフィック・データを通信するダウンリンク・トラフィック・チャネルであり、前記アップリンク応答信号の送信はリモート端末から前記基地局に送信されるあらゆる前記アップリンク・トラフィック・データと独立しており、前記ダウンリンク・データを送信するステップの前記ダウンリンク・スマート・アンテナ処理戦略は最近受信されたアップリンク応答信号を使用することを特徴とする請求項１に記載の方法。
【請求項３】  前記アップリンク・データ・チャネル、ダウンリンク・チャネルおよび前記アップリンク関連チャネルは通常のＴＤＭＡチャネルであることを特徴とする請求項１に記載の方法。
【請求項４】  前記アップリンク・データ・チャネル、ダウンリンク・チャネルおよび前記アップリンク関連チャネルは通常のＦＤＭＡチャネルであることを特徴とする請求項１に記載の方法。
【請求項５】  前記アップリンク・データ・チャネル、ダウンリンク・チャネルおよび前記アップリンク関連チャネルは通常のＣＤＭＡチャネルであることを特徴とする請求項１に記載の方法。
【請求項６】  前記第１通信デバイスは、セルラ基地局を含むことを特徴とする請求項１に記載の方法。
【請求項７】  前記リモート通信デバイスは、第２の複数のアンテナ要素を含むことを特徴とする請求項１に記載の方法。
【請求項８】  前記リモート通信デバイスは、前記第２の複数のアンテナ要素を含む第２スマート・アンテナ・システムを含むことを特徴とする請求項７に記載の方法。
【請求項９】  前記第１通信デバイスは外部データ・ネットワークおよび／または外部音声ネットワークに結合されることを特徴とする請求項１に記載の方法。
【請求項１０】  前記リモート通信デバイスはリモート・ユーザ端末を含むことを特徴とする請求項１に記載の方法。
【請求項１１】  前記リモート・ユーザ端末はモバイルであることを特徴とする請求項１０に記載の方法。
【請求項１２】  前記アップリンク・データおよび前記ダウンリンク・データの少なくとも１つは音声を含むことを特徴とする請求項１に記載の方法。
【請求項１３】  前記アップリンク・データおよび前記ダウンリンク・データの少なくとも１つはインターネットを介して交換される情報を含むことを特徴とする請求項１に記載の方法。
【請求項１４】  前記スマート・アンテナ・システムは、複数のアンテナ要素と、前記アンテナ要素で受信される信号から決定される受信重み付けパラメータの組に従って前記アンテナ要素で受信される信号を処理するアップリンク空間用の機構と、送信重み付けパラメータの組に従って送信される信号を処理するダウンリンク空間用の機構とから構成され、前記ダウンリンク戦略を決定するステップは、前記アップリンク応答信号を受信するステップ中に受信された前記アップリンク応答信号から前記アップリンク重み付けパラメータの組を決定するステップと、前記アップリンク重み付けパラメータの組からダウンリンク重み付けパラメータの組を決定するステップとを有することを特徴とする請求項１に記載の方法。
【請求項１５】  前記ダウンリンク・チャネルおよび前記関連チャネルでの通信はフレームごとであり、前記ダウンリンク戦略を決定するステップは最も最近のフレームで受信された前記アップリンク応答信号を使用して戦略を決定することを特徴とする請求項１に記載の方法。
【請求項１６】  前記アップリンク応答信号は、前記リモート通信デバイスによって受信された前記第１通信デバイスからの各フレームに応答して前記リモート通信デバイスによって送信される肯定応答データを含むことを特徴とする請求項１５に記載の方法。
【請求項１７】  前記ダウンリンク戦略を決定するステップは、ブラインド法および最も最近に受信されたアップリンク応答信号を使用して送信重み付けパラメータを決定することを特徴とする請求項１４に記載の方法。
【請求項１８】  前記アップリンク応答信号はトレーニング・データを含み、前記ダウンリンク戦略を決定するステップは、最も最近に受信されたアップリンク応答信号内のトレーニング・データを使用して送信重み付けパラメータを決定することを特徴とする請求項１４に記載の方法。
【請求項１９】  前記アップリンク・チャネル、ダウンリンク・チャネル、および前記関連アップリンク・チャネルでの通信はフレームごとであり、前記アップリンク応答信号は、リモート通信デバイスによって受信された前記第１通信デバイスから送信された各フレームに応答して前記ユーザ端末によって送信される肯定応答データを含み、
前記第１通信デバイスから前記リモート通信デバイスへの関連ダウンリンク・チャネルを提供するステップと、
前記第１通信デバイスによって受信された前記ユーザ端末からの各アップリンク・フレームに応答して、前記関連ダウンリンク・チャネルで前記第１通信デバイスから前記リモート通信デバイスにアップリンク肯定応答信号を送信するステップと
から構成され、
前記関連ダウンリンク・チャネルは、前記アップリンク・チャネルと事前に決められた関係を有することを特徴とする請求項１５に記載の方法。
【請求項２０】  前記リモート通信デバイスは、前記第１通信デバイスと通信することができるユーザ端末の組のユーザ端末であり、各ユーザ端末は提供される前記アップリンク・チャネルの組とは別のアップリンク・チャネルで前記アップリンクに通信すること、および提供されるダウンリンク・チャネルの組とは別のダウンリンク・チャネルでダウンリンクに通信することが可能であり、前記提供されるダウンリンク・チャネルの総データ搬送容量は前記提供されるアップリンク・チャネルの総データ搬送容量より大きく、
これにより、前記方法は、アップリンク・トラフィック・データ通信とダウンリンク・トラフィック・データ通信との間の非対称に調整することを特徴とする請求項１に記載の方法。
【請求項２１】  通信デバイスであって、
スマート・アンテナ処理戦略に従って少なくとも１つのリモート通信デバイスと通信する、複数のアンテナ要素を含むスマート・アンテナ・システムと、
複数のアンテナ要素に結合された、リモート通信デバイスにダウンリンク・チャネルでダウンリンク・データを送信するダウンリンク送信ユニットと、
複数のアンテナ要素に結合されたアップリンク受信ユニットと、
ダウンリンク送信ユニットに結合され、かつアップリンク受信ユニットに結合されるプロセッサと、
から構成され、
前記アップリンク受信ユニットはダウンリンク・データに応答する前記リモート通信デバイスからのアップリンク応答信号を受信する関連チャネルを提供し、事前に決められた関係を有する関連チャネルはダウンリンク・チャネルに関連し、前記アップリンク受信ユニットは前記リモート通信デバイスからアップリンク・データ信号を受け取るアップリンク・データ・チャネルをさらに提供し、前記アップリンク・データ・チャネルは前記関連チャネルとは異するものであり、
前記プロセッサは、前記アップリンク応答信号に基づいてダウンリンク・スマート・アンテナ処理戦略を決定することを特徴とする通信デバイス。
【請求項２２】  前記アップリンク・データ・チャネル、ダウンリンク・チャネル、および前記アップリンク関連チャネルは通常のＴＤＭＡチャネルであることを特徴とする請求項２１に記載の通信デバイス。
【請求項２３】  前記アップリンク・データ・チャネル、ダウンリンク・チャネル、および前記アップリンク関連チャネルは通常のＦＤＭＡチャネルであることを特徴とする請求項２１に記載の通信デバイス。
【請求項２４】  前記アップリンク・データ・チャネル、ダウンリンク・チャネル、および前記アップリンク関連チャネルは通常のＣＤＭＡチャネルであることを特徴とする請求項２１に記載の通信デバイス。
【請求項２５】  前記第１通信デバイスはセルラ基地局を含むことを特徴とする請求項２１に記載の通信デバイス。
【請求項２６】  前記リモート通信デバイスは第２の複数のアンテナ要素を含むことを特徴とする請求項２１に記載の通信デバイス。
【請求項２７】  前記リモート通信デバイスは前記第２の複数のアンテナ要素を含む第２スマート・アンテナ・システムを含むことを特徴とする請求項２６に記載の通信デバイス。
【請求項２８】  前記第１通信デバイスは外部データ・ネットワークおよび／または外部音声ネットワークに結合されることを特徴とする請求項２１に記載の通信デバイス。
【請求項２９】  前記リモート通信デバイスはリモート・ユーザ端末を含むことを特徴とする請求項２１に記載の通信デバイス。
【請求項３０】  前記リモート・ユーザ端末はモバイルであることを特徴とする請求項２９に記載の通信デバイス。
【請求項３１】  前記アップリンク・データおよび前記ダウンリンク・データの少なくとも１つは音声を含むことを特徴とする請求項２１に記載の通信デバイス。
【請求項３２】  前記アップリンク・データおよび前記ダウンリンク・データの少なくとも１つはインターネットを介して交換される情報を含むことを特徴とする請求項２１に記載の通信デバイス。